Podtech/llm-jp-corpus-v4-ja_patent huggingface dataset:
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
溝の開口が上側に位置する状態で設置される溝部材と、当該溝部材の上側に間隔を空けて設置される複数の棒材とを有する獣進入防止設備であり、
前記溝部材は、その上端部に、前記棒材を保持する複数の保持部を有する保持構造が形成されている、獣進入防止設備。
【請求項２】
前記溝部材を複数備えており、
当該複数の溝部材は、溝の延在方向が一致する状態で並列に設置されている、請求項１に記載の獣進入防止設備。
【請求項３】
当該保持部に設置された前記棒材は、その上端部が前記溝部材の上面より上側に位置する状態に設置される、請求項１又は請求項２に記載の獣進入防止設備。
【請求項４】
前記棒材は、円弧形状の断面形状を有するものであり、
前記溝部材の上面より上側に位置する突出部分の外周面は、曲面である、請求項３に記載の獣進入防止設備。
【請求項５】
前記棒材は、前記溝部材の溝の延在方向に対して交差する方向に延びる状態で設置されており、
前記溝部材の前記保持構造に形成された前記保持部は、上側に開口する凹部であり、
前記棒材は、前記保持部に着脱可能な状態で設置されている、請求項１から請求項４のいずれか一項に記載の獣進入防止設備。
【請求項６】
前記獣進入防止設備は、道に設置されるものであり、
前記棒部材は、道の往来方向と棒材の延在方向とが交差する状態に設置される、請求項１から請求項５のいずれか一項に記載の獣進入防止設備。
【請求項７】
間隔を空けて並べて設置される複数の棒材と、当該棒材を支持する保持部材と、設置された前記複数の棒材の下側領域に存する空間部とを備えており、
前記保持部材は、前記空間部を挟んでその両側に配置されている、獣進入防止設備。
【請求項８】
前記各保持部材は、前記棒材を支持する複数の保持部を備えており、
前記複数の保持部は、前記保持部材の長手方向に並べて形成されており、
前記棒材は、前記保持部に対して着脱可能に設置されるものであり、
前記空間部を挟んで対向配置される各保持部材は、一体の部材に構成された構造であり、
前記棒材は、前記保持部材の延在方向に対して交差する方向に延びる状態に設置されるものであり、
前記保持部は、前記保持部材の上面側に形成された凹部である、請求項７に記載の獣進入防止設備。
【請求項９】
前記保持部に設置された前記棒材の上端部は、前記保持部材の上面より上側に位置する、請求項８に記載の獣進入防止設備。
【請求項１０】
道に設置される前記獣進入防止設備の前記保持部材は、その長手方向が道の往来方向に向く状態に設置されるものであり、
前記複数の棒材が設置された設備の上面は、その上を歩行可能であり、
当該棒材エリアは、その上を車両通行可能である、請求項７から請求項９のいずれか一項に記載の獣進入防止設備。
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
３つ以上の回胴と、前記回胴を回転開始する始動レバーと、回転している前記回胴を各々停止させる停止ボタンとを備える回胴式遊技機であって、
第１の抽選テーブル及び前記第１の抽選テーブルよりも遊技者にとって有利な第２の抽選テーブルを備え、前記第１の抽選テーブルに従って役抽選を実行する低確率区間と、前記第２の抽選テーブルに従って役抽選を実行する高確率区間とを選択的に発生させる確変発生制御手段と、
前記低確率区間において、遊技者による始動レバーの操作に伴って全回胴を回転開始し、回転した全回胴を遊技者による停止ボタンの操作によって各々停止させる低確率時回胴制御手段と、
前記高確率区間において、遊技者による始動レバーの操作に伴って全回胴を回転開始し、回転した回胴のうちいずれかを遊技者の操作によらず自動停止させた後、残りの回転している回胴を遊技者による停止ボタンの操作によって停止させる高確率時回胴制御手段と、を備え、
前記低確率時回胴制御手段は、遊技者による前記停止ボタンの操作に基づいて所定範囲だけ回胴を回動させてから所定の図柄組合せ態様で回胴を停止させるスベリ回胴停止制御を実行し、
前記高確率時回胴制御手段は、前記役抽選の結果、特定の役に当選したときに、いずれかの回胴を前記特定の役に基づいた図柄組合せで自動停止させた後、前記スベリ回胴停止制御を実行することなく、残りの回転している回胴を、遊技者による停止ボタンの操作と同時に停止させる非スベリ回胴停止制御を実行する、
ことを特徴とする回胴式遊技機。
【請求項２】
請求項１に記載の回胴式遊技機において、
前記非スベリ回胴停止制御は、前記スベリ回胴停止制御における前記回胴の回転速度より遅い回転速度で前記回胴を回転させる、ことを特徴とする回胴式遊技機。
【手続補正２】
【補正対象書類名】明細書
【補正対象項目名】０００７
【補正方法】変更
【補正の内容】
【０００７】
本発明は、３つ以上の回胴と、前記回胴を回転開始する始動レバーと、回転している前記回胴を各々停止させる停止ボタンとを備える回胴式遊技機であって、第１の抽選テーブル及び前記第１の抽選テーブルよりも遊技者にとって有利な第２の抽選テーブルを備え、前記第１の抽選テーブルに従って役抽選を実行する低確率区間と、前記第２の抽選テーブルに従って役抽選を実行する高確率区間とを選択的に発生させる確変発生制御手段と、前記低確率区間において、遊技者による始動レバーの操作に伴って全回胴を回転開始し、回転した全回胴を遊技者による停止ボタンの操作によって各々停止させる低確率時回胴制御手段と、前記高確率区間において、遊技者による始動レバーの操作に伴って全回胴を回転開始し、回転した回胴のうちいずれかを遊技者の操作によらず自動停止させた後、残りの回転している回胴を遊技者による停止ボタンの操作によって停止させる高確率時回胴制御手段と、を備え、
前記低確率時回胴制御手段は、遊技者による前記停止ボタンの操作に基づいて所定範囲だけ回胴を回動させてから所定の図柄組合せ態様で回胴を停止させるスベリ回胴停止制御を実行し、前記高確率時回胴制御手段は、前記役抽選の結果、特定の役に当選したときに、いずれかの回胴を前記特定の役に基づいた図柄組合せで自動停止させた後、前記スベリ回胴停止制御を実行することなく、残りの回転している回胴を、遊技者による停止ボタンの操作と同時に停止させる非スベリ回胴停止制御を実行する、ことを特徴とする回胴式遊技機である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】変更
【補正の内容】
【００１１】
また、低確率時回胴制御手段は、遊技者による停止ボタンの操作に基づいて所定範囲だけ回胴を回動させてから所定の図柄組合せ態様で回胴を停止させるスベリ回胴停止制御を実行し、高確率時回胴制御手段は、前記役抽選の結果、特定の役に当選したときに、いずれかの回胴を前記特定の役に基づいた図柄組合せで自動停止させた後、前記スベリ回胴停止制御を実行することなく、残りの回転している回胴を、遊技者による停止ボタンの操作と同時に停止させる非スベリ回胴停止制御を実行する。
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
遊技者に対向配置される発光部材を有する遊技機であって、
前記発光部材は、透光性を有する透光部と、前記透光部に対して遊技者と反対側に配置される発光素子と、を有し、
前記透光部には、第１の色を有する第１装飾部と、前記第１の色と補色関係にある第２の色を有する第２装飾部と、が設けられ、
前記発光素子は、前記第１の色と前記第２の色の少なくとも２種類の色に発光可能に構成され、
透光性を有すると共に、前記第１装飾部及び前記第２装飾部を遊技者側から覆うことにより、前記発光素子の非点灯時に前記透光部を目立たないようにするカバーシートが設けられている遊技機。
【請求項２】
前記カバーシートは、前記第１の色及び前記第２の色とは異なる色になっている、請求項１に記載の遊技機。
【請求項３】
前記カバーシートは、白色になっている、請求項２に記載の遊技機。
【手続補正２】
【補正対象書類名】明細書
【補正対象項目名】０００６
【補正方法】変更
【補正の内容】
【０００６】
第１の手段は、遊技者に対向配置される発光部材を有する遊技機であって、前記発光部材は、透光性を有する透光部と、前記透光部に対して遊技者と反対側に配置される発光素子と、を有し、前記透光部には、第１の色を有する第１装飾部と、前記第１の色と補色関係にある第２の色を有する第２装飾部と、が設けられ、前記発光素子は、前記第１の色と前記第２の色の少なくとも２種類の色に発光可能に構成され、透光性を有すると共に、前記第１装飾部及び前記第２装飾部を遊技者側から覆うことにより、前記発光素子の非点灯時に前記透光部を目立たないようにするカバーシートが設けられている遊技機である。
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
遊技盤に形成された窓部を通して視認可能であり、当否判定の結果を示すための図柄と、前記図柄とは異なる演出画像と、が表示される表示部を有する遊技機であって、
前記遊技盤と前記表示部の間に位置して、前記表示部において視認可能な領域を変化させるように移動可能であり、かつ、前記表示部の前面に沿って回転可能な移動部材と、
前記表示部に表示される画像に応じて前記移動部材の配置を制御する移動部材制御手段と、を有し、
前記演出画像は、前記移動部材の回転に伴って回転する遊技機。
【手続補正２】
【補正対象書類名】明細書
【補正対象項目名】０００６
【補正方法】変更
【補正の内容】
【０００６】
第１の手段は、遊技盤に形成された窓部を通して視認可能であり、当否判定の結果を示すための図柄と、前記図柄とは異なる演出画像と、が表示される表示部を有する遊技機であって、前記遊技盤と前記表示部の間に位置して、前記表示部において視認可能な領域を変化させるように移動可能であり、かつ、前記表示部の前面に沿って回転可能な移動部材と、前記表示部に表示される画像に応じて前記移動部材の配置を制御する移動部材制御手段と、を有し、前記演出画像は、前記移動部材の回転に伴って回転する遊技機である。
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
第１と第２の可動部材と、
前記第１と第２の可動部材を駆動制御する駆動制御手段と、を有する遊技機であって、
前記駆動制御手段は、一度に前記第１と第２の可動部材のうち何れか一方のみを駆動する遊技機。
【請求項２】
前記駆動制御手段により駆動制御される第３の可動部材を有し、
前記駆動制御手段は、前記第１と第３の可動部材を一度に駆動する第１演出と、前記第２と第３の可動部材を一度に駆動する第２演出と、を実行可能となっている、請求項１に記載の遊技機。
【請求項３】
前記第１と第３の可動部材の動作が、略同じに構成されている、請求項１又は２に記載の遊技機。
【請求項４】
前記駆動制御手段は、前記第１と第２の可動部材を、通常は待機状態とし、それぞれに対応する所定の駆動条件が成立すると、前記第１と第２の可動部材をそれぞれ駆動して前記待機状態から変化させ、前記第１と第２の可動部材の何れか一方を駆動して前記待機状態から変化させているときには、他方を前記待機状態とする、請求項１から３の何れか１の請求項に記載の遊技機。
【手続補正２】
【補正対象書類名】明細書
【補正対象項目名】０００４
【補正方法】変更
【補正の内容】
【０００４】
上述した従来の遊技機に対して、複数の可動部材の消費電流が一度に大きくなり過ぎないことが望まれる。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
第１の手段は、第１と第２の可動部材と、前記第１と第２の可動部材を駆動制御する駆動制御手段と、を有する遊技機であって、前記駆動制御手段は、一度に前記第１と第２の可動部材のうち何れか一方のみを駆動する遊技機である。
【手続補正５】
【補正対象書類名】明細書
【補正対象項目名】０００７
【補正方法】削除
【補正の内容】
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
種類が異なる複数の演出要素が１種類ずつ取得されて表示部に一列の直線状に並べられていく第１演出を行う遊技機であって、
前記表示部の隣には、前記複数の演出要素の列と略平行になるように複数の点灯部が一列の直線状に並べて備えられ、
前記第１演出の実行中に、前記演出要素の１種類ずつの取得に起因し、取得された前記演出要素に対して列が延びる方向と直交又は対向する位置に配置された前記点灯部の点灯状態を変化させて、各前記演出要素と各前記点灯部とを対応づける制御を行う点灯制御手段を備える遊技機。
【手続補正２】
【補正対象書類名】明細書
【補正対象項目名】０００６
【補正方法】変更
【補正の内容】
【０００６】
第１の手段は、種類が異なる複数の演出要素が１種類ずつ取得されて表示部に一列の直線状に並べられていく第１演出を行う遊技機であって、前記表示部の隣には、前記複数の演出要素の列と略平行になるように複数の点灯部が一列の直線状に並べて備えられ、前記第１演出の実行中に、前記演出要素の１種類ずつの取得に起因し、取得された前記演出要素に対して列が延びる方向と直交又は対向する位置に配置された前記点灯部の点灯状態を変化させて、各前記演出要素と各前記点灯部とを対応づける制御を行う点灯制御手段を備える遊技機である。
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
表示部の表示面に重なった状態で前記表示面に沿って移動可能な移動部材を有する遊技機において、
前記移動部材は、縦横の一方向に移動し、
前記移動部材の移動に合わせて前記表示部の表示を前記一方向でのみ圧縮する表示制御手段を有する遊技機。
【手続補正２】
【補正対象書類名】明細書
【補正対象項目名】０００６
【補正方法】変更
【補正の内容】
【０００６】
第１の手段は、表示部の表示面に重なった状態で前記表示面に沿って移動可能な移動部材を有する遊技機において、前記移動部材は、縦横の一方向に移動し、前記移動部材の移動に合わせて前記表示部の表示を前記一方向でのみ圧縮する表示制御手段を有する遊技機である。
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
大当たり又は小当たりであるかの当たり判定を実行可能な遊技制御手段と、
演出を制御可能な演出制御手段と、を備える遊技機において、
前記遊技制御手段は、
前記当たり判定の結果を示す識別図柄を変動表示を経て停止表示可能であり、
前記識別図柄が小当たり当選を示す小当たり図柄で停止表示された場合に、小当たり遊技を実行可能であり、
非時短状態よりも前記識別図柄の変動表示の時間が短くなり易い時短状態に制御可能であり、
前記時短状態に制御されてから前記当たり判定で小当たりと判定された回数が第１規定回数に至る第１特別終了条件の成立に基づいて、前記非時短状態に制御可能であり、
前記時短状態に制御されてから前記当たり判定で小当たりと判定された回数が前記第１規定回数よりも多い第２規定回数に至る第２特別終了条件の成立に基づいて、前記非時短状態に制御可能であり、
前記第１特別終了条件の成立に基づいて前記非時短状態に制御されてから前記識別図柄の変動表示の回数が特定回数以下である場合には、所定の第１決定基準に基づいて前記識別図柄の変動パターンを決定可能であり、
前記第１特別終了条件の成立に基づいて前記非時短状態に制御されてから前記識別図柄の変動表示の回数が前記特定回数を超える場合には、所定の第２決定基準に基づいて前記識別図柄の変動パターンを決定可能であり、
前記演出制御手段は、
前記所定の第１決定基準に基づいて決定された前記識別図柄の変動パターンにより特殊演出を実行可能である一方、
前記所定の第２決定基準に基づいて決定された前記識別図柄の変動パターンにより前記特殊演出を実行しないことを特徴とする遊技機。
【手続補正２】
【補正対象書類名】明細書
【補正対象項目名】０００７
【補正方法】変更
【補正の内容】
【０００７】
本発明の遊技機は、
大当たり又は小当たりであるかの当たり判定を実行可能な遊技制御手段と、
演出を制御可能な演出制御手段と、を備える遊技機において、
前記遊技制御手段は、
前記当たり判定の結果を示す識別図柄を変動表示を経て停止表示可能であり、
前記識別図柄が小当たり当選を示す小当たり図柄で停止表示された場合に、小当たり遊技を実行可能であり、
非時短状態よりも前記識別図柄の変動表示の時間が短くなり易い時短状態に制御可能であり、
前記時短状態に制御されてから前記当たり判定で小当たりと判定された回数が第１規定回数に至る第１特別終了条件の成立に基づいて、前記非時短状態に制御可能であり、
前記時短状態に制御されてから前記当たり判定で小当たりと判定された回数が前記第１規定回数よりも多い第２規定回数に至る第２特別終了条件の成立に基づいて、前記非時短状態に制御可能であり、
前記第１特別終了条件の成立に基づいて前記非時短状態に制御されてから前記識別図柄の変動表示の回数が特定回数以下である場合には、所定の第１決定基準に基づいて前記識別図柄の変動パターンを決定可能であり、
前記第１特別終了条件の成立に基づいて前記非時短状態に制御されてから前記識別図柄の変動表示の回数が前記特定回数を超える場合には、所定の第２決定基準に基づいて前記識別図柄の変動パターンを決定可能であり、
前記演出制御手段は、
前記所定の第１決定基準に基づいて決定された前記識別図柄の変動パターンにより特殊演出を実行可能である一方、
前記所定の第２決定基準に基づいて決定された前記識別図柄の変動パターンにより前記特殊演出を実行しないことを特徴とする遊技機である。
【手続補正書】
【提出日】令和2年5月29日(2020.5.29)
【手続補正１】
【補正対象書類名】明細書
【補正対象項目名】０００９
【補正方法】変更
【補正の内容】
【０００９】
特表２０１３−５０３６０４号公報（特許文献３）には、乳酸菌を用いた乳製品の製造方法において、乳製品にはチーズが含まれることが記載され、また、発酵前に酵素を使用することが記載されている（例えば、この文献の特許請求の範囲）。
【手続補正２】
【補正対象書類名】明細書
【補正対象項目名】００１２
【補正方法】変更
【補正の内容】
【００１２】
【特許文献１】特表２００７−５２７２１３号公報（ＷＯ２００５／００２３６１）
【特許文献２】特開２００９−２９６９７２号公報
【特許文献３】特表２０１３−５０３６０４号公報（ＷＯ２０１１／０２６８６３）
【特許文献４】特開２０１６−０９３１９８号公報
【手続補正３】
【補正対象書類名】明細書
【補正対象項目名】００５９
【補正方法】変更
【補正の内容】
【００５９】
評価試験
上記で得られた実施例１〜６のチーズ風味素材１〜６について、下記の様な風味評価試験を実施した。
【手続補正書】
【提出日】令和2年5月25日(2020.5.25)
【手続補正１】
【補正対象書類名】明細書
【補正対象項目名】００１１
【補正方法】変更
【補正の内容】
【００１１】
ゴルフクラブヘッド１は、ヘッド上部２、ヘッド底部３、フェース部４、ホゼル部５及びバック部６を含む。ヘッド上部２はゴルフクラブヘッド１の上面を形成し、ヘッド底部３はソール部であり、ゴルフクラブヘッド１の底面を形成する。ヘッド上部２とヘッド底部３との間のヘッド正面部は、トウ側部分１ａ、ヒール側部分１ｂ、及び、トウ側部分１ａとヒール側部分１ｂとの間のフェース部４を含む。フェース部４はゴルフボールの打撃面を形成する。フェース部４は本実施形態の場合、平面の打撃面を形成しており、Ｄ１方向に延びるスコアライン４１が、Ｄ２方向に複数形成されている。フェース部４と、トウ側部分１ａ及びヒール側部分１ｂとは、例えば、本実施形態のようにスコアライン４１が形成されている領域か、あるいは、表面処理が異なる領域か否かで区別することができる。表面処理としては、例えば、フェース部４にはブラスト処理等が施され、トウ側部分１ａ及びヒール側部分１ｂにはめっき処理、研磨仕上げ等が施される。バック部６はゴルフクラブヘッド１の背面を形成する。フェース部４及びバック部６はヘッド上部２とヘッド底部３との間に位置している。
【手続補正２】
【補正対象書類名】明細書
【補正対象項目名】００２４
【補正方法】変更
【補正の内容】
【００２４】
打撃時にスリット７の隙間が変化することから、中間部材８がスリット７から脱落したり、中間部材８の位置が変わることを防止する必要がある。本実施形態では、固定部材９Ａ及び９Ｂ（以下、区別しない場合は単に固定部材９という。）により中間部材８Ａ、８Ｂをそれぞれ固定している。本実施形態の場合、固定部材９Ａ及び９Ｂは同様の構成であり、また、中間部材８Ａ及び８Ｂは同様の構成である。図３（Ａ）及び図３（Ｂ）を参照して、中間部材８Ａ及び固定部材９Ａの組の構造について説明するが、中間部材８Ｂ及び固定部材９Ｂの組の構造も同様である。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
無脂乳固形分、乳酸、および食塩を含むヨーグルト風味を有する炭酸飲料であって、
当該炭酸飲料中のナトリウムイオン濃度が８ｍｇ／１００ｍｌ以上６０ｍｇ／１００ｍｌ以下であり、
前記炭酸飲料のガスボリュームが１．５以上３．５未満であり、かつ波長６６０ｎｍにおける吸光度が０．０１４以下である炭酸飲料。
【請求項２】
前記無脂乳固形分の含有量が０．０００５質量％以上０．０１質量％以下である、請求項１に記載の炭酸飲料。
【請求項３】
前記乳酸の含有量が０．０１質量％以上である、請求項１または２に記載の炭酸飲料。
【請求項４】
前記炭酸飲料が、乳酸菌を含む、請求項１乃至３いずれか一項に記載の炭酸飲料。
【請求項５】
前記炭酸飲料が、乳清タンパク質およびカゼインのうち少なくとも一方を含む、請求項１乃至４いずれか一項に記載の炭酸飲料。
【請求項６】
前記乳清タンパク質中に含まれるβ−ラクトグロブリンの含有量が、前記炭酸飲料全量に対し、０．０５ｐｐｍ以上、２．５ｐｐｍ以下である、請求項５に記載の炭酸飲料。
【請求項７】
前記炭酸飲料の波長６６０ｎｍにおける前記吸光度が０．００６以下である、請求項１乃至６いずれか一項に記載の炭酸飲料。
【請求項８】
請求項１乃至７のいずれか一項に記載の炭酸飲料が容器に充填されている容器詰め炭酸飲料。
【請求項９】
前記容器が透明である、請求項８に記載の容器詰め炭酸飲料。
【請求項１０】
炭酸飲料のヨーグルト風味増強方法であって、
無脂乳固形分、乳酸、および食塩を混合し、当該炭酸飲料中のナトリウムイオン濃度が８ｍｇ／１００ｍｌ以上６０ｍｇ／１００ｍｌ以下となり、前記炭酸飲料の波長６６０ｎｍにおける吸光度が０．０１４以下となるように調製する工程と、
前記炭酸飲料のガスボリュームが１．５以上３．５未満となるように調製する工程と、を含む、炭酸飲料のヨーグルト風味増強方法。
【手続補正２】
【補正対象書類名】明細書
【補正対象項目名】０００８
【補正方法】変更
【補正の内容】
【０００８】
本発明によれば、
無脂乳固形分、乳酸、および食塩を含むヨーグルト香味を有する炭酸飲料であって、
当該炭酸飲料中のナトリウムイオン濃度が８ｍｇ／１００ｍｌ以上６０ｍｇ／１００ｍｌ以下であり、
前記炭酸飲料のガスボリュームが１．５以上３．５未満であり、かつ波長６６０ｎｍにおける吸光度が０．０１４以下である炭酸飲料が提供される。
【手続補正３】
【補正対象書類名】明細書
【補正対象項目名】００１０
【補正方法】変更
【補正の内容】
【００１０】
また、本発明によれば、炭酸飲料のヨーグルト風味増強方法であって、
無脂乳固形分、乳酸、および食塩を混合し、当該炭酸飲料中のナトリウムイオン濃度が８ｍｇ／１００ｍｌ以上６０ｍｇ／１００ｍｌ以下となり、前記炭酸飲料の波長６６０ｎｍにおける吸光度が０．０１４以下となるように調製する工程と、
前記炭酸飲料のガスボリュームが１．５以上３．５未満となるように調製する工程と、を含む、炭酸飲料のヨーグルト風味増強方法が提供される。
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
第１の母線導体端部と、前記第１の母線導体端部に隣接する第２の母線導体端部と、前記第１の母線導体端部に前記第２の母線導体端部を接続する接続導体部材と、前記第１の母線導体端部および前記第２の母線導体端部における母線導体部材に形成されたボルト挿通穴に挿入され前記第１の母線導体端部および前記第２の母線導体端部における母線導体部材と前記接続導体部材とを締付ける締付ボルトとを備えた母線接続装置において、前記第１の母線導体端部および前記第２の母線導体端部における母線導体部材は互いに平行して長手方向に延在する平板状に形成された複数の母線導体部材でそれぞれ構成され、前記接続導体部材は前記第１の母線導体端部における複数の母線導体部材相互間に介在し前記第１の母線導体端部における母線導体部材に形成されたボルト挿通穴に挿入される第１の締付ボルトを挿通して配設されるものであって、前記接続導体部材には、前記第１の締付ボルトに対応して皿ばね機能を有する第１のスペーサが設けられるとともに、前記第２の母線導体端部におけるボルト挿通穴に挿入される第２の締付ボルトに嵌合する開口部が設けられ、前記接続導体部材に設けられた前記開口部と嵌合する前記第２の締付ボルトには前記開口部に対応して皿ばね機能を有する第２のスペーサが設けられるものであり、前記接続導体部材は、前記第１の締付ボルトを枢軸として回動することにより前記開口部を前記第２の締付ボルトに前記第２のスペーサを介して嵌合するように構成されていることを特徴とする母線接続装置。
【請求項２】
前記接続導体部材は２分割されて、前記第１の母線導体端部および前記第２の母線導体端部の延在方向と直交する方向に第１の接続導体部材および第２の接続導体部材が配設され、前記第１の接続導体部材および前記第２の接続導体部材には前記第１の母線導体端部における母線導体部材に形成されたボルト挿通穴に挿入される締付ボルトを挿入するボルト挿通穴と前記第２の母線導体端部における母線導体部材に形成されたボルト挿通穴に挿入される締付ボルトに嵌合する開口部とがそれぞれ設けられることを特徴とする請求項１に記載の母線接続装置。
【請求項３】
前記第１の接続導体部材および前記第２の接続導体部材は短冊状平板として形成され、前記第１の母線導体端部における母線導体部材に形成されたボルト挿通穴に挿入される締付ボルトを枢軸としてそれぞれ回動されるものであって、前記第１の接続導体部材および前記第２の接続導体部材には、一方の接続導体部材が回動される場合に他方の接続導体部材と干渉しないよう角部に面取りが施されていることを特徴とする請求項２に記載の母線接続装置。
【請求項４】
前記接続導体部材は、前記第１の母線導体端部および前記第２の母線導体端部に延在方向と直交する方向にそれぞれ設けられた複数のボルト挿通穴に対応するボルト挿通穴および開口部を有する平板状の接続導体部材により構成され、前記接続導体部材におけるボルト挿通穴の一つを前記第１の母線導体端部におけるボルト挿通穴に挿入される締付ボルトを挿入するボルト挿通穴とし、前記接続導体部材における開口部を前記第２の母線導体端部における挿通穴に挿入される締付ボルトに嵌合する開口部とすることを特徴とする請求項１に記載の母線接続装置。
【請求項５】
前記第１の母線導体端部における母線導体部材には、前記第１の母線導体端部の延在方向と直角方向に間隔を置いて配設された２つのボルト挿通穴と、前記ボルト挿通穴の一方と前記第１の母線導体端部の延在方向に前記第２の母線導体端部と離れる方向で間隔を置いて配設された１つの捨て穴が設けられているものであって、前記捨て穴には前記第１の母線導体端部における母線導体部材に前記接続導体部材を仮締めするための第３の締付ボルトが挿入されることを特徴とする請求項４に記載の母線接続装置。
【手続補正２】
【補正対象書類名】明細書
【補正対象項目名】０００６
【補正方法】変更
【補正の内容】
【０００６】
この発明によるスイッチギヤの母線接続装置は、第１の母線導体端部と、前記第１の母線導体端部に隣接する第２の母線導体端部と、前記第１の母線導体端部に前記第２の母線導体端部を接続する接続導体部材と、前記第１の母線導体端部および前記第２の母線導体端部における母線導体部材に形成されたボルト挿通穴に挿入され前記第１の母線導体端部および前記第２の母線導体端部における母線導体部材と前記接続導体部材とを締付ける締付ボルトとを備えた母線接続装置において、前記第１の母線導体端部および前記第２の母線導体端部における母線導体部材は互いに平行して長手方向に延在する平板状に形成された複数の母線導体部材でそれぞれ構成され、前記接続導体部材は前記第１の母線導体端部における複数の母線導体部材相互間に介在し前記第１の母線導体端部における母線導体部材に形成されたボルト挿通穴に挿入される第１の締付ボルトを挿通して配設されるものであって、前記接続導体部材には、前記第１の締付ボルトに対応して皿ばね機能を有する第１のスペーサが設けられるとともに、前記第２の母線導体端部におけるボルト挿通穴に挿入される第２の締付ボルトに嵌合する開口部が設けられ、前記接続導体部材に設けられた前記開口部と嵌合する前記第２の締付ボルトには前記開口部に対応して皿ばね機能を有する第２のスペーサが設けられるものであり、前記接続導体部材は、前記第１の締付ボルトを枢軸として回動することにより前記開口部を前記第２の締付ボルトに前記第２のスペーサを介して嵌合するように構成されていることを特徴とするものである。
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
表示する順序が設定された複数のコンテンツを表示領域に表示する端末によって実行されるプログラムであって、
前記端末のユーザによる前記端末への入力に基づいて、前記表示領域に表示された前記複数のコンテンツを、設定された前記順序で前記表示領域内を移動させ、前記表示領域から非表示にする制御を前記端末の制御部によって行うことと、
前記複数のコンテンツのうちの第１コンテンツに設定された時間以上、または設定された割合以上、前記第１コンテンツが前記表示領域に表示されていない場合、前記第１コンテンツを前記表示領域に表示し続ける制御を前記制御部によって行うこととが前記端末によって実行される。
【請求項２】
請求項１に記載のプログラムであって、
前記複数のコンテンツは、前記表示領域の第１表示領域に表示され、
前記第１コンテンツは、設定された前記時間以上、または設定された前記割合以上、前記第１コンテンツが前記表示領域に表示されていない場合に、前記入力に基づいて、前記第１表示領域内を移動し、前記第１表示領域から非表示にされた場合、前記第１表示領域とは異なる第２表示領域に表示され、前記表示領域に表示され続ける。
【請求項３】
請求項２に記載のプログラムであって、
前記第２表示領域に表示された前記第１コンテンツは、前記入力に基づき、前記第２表示領域を移動しない。
【請求項４】
請求項２または請求項３に記載のプログラムであって、
前記複数のコンテンツのうち、前記第２表示領域に表示されたコンテンツと、前記第１表示領域に表示されたコンテンツとを異なる表示態様で表示する制御を前記制御部で行うことが前記端末によって実行される。
【請求項５】
請求項４に記載のプログラムであって、
前記第１表示領域に表示されたコンテンツは、第１の大きさで前記第１表示領域に表示し、前記第２表示領域に表示されたコンテンツは、前記第１の大きさよりも小さい第２の大きさで前記第２表示領域に表示される。
【請求項６】
請求項１から請求項５のいずれか一項に記載のプログラムであって、
前記第１コンテンツは、静止画コンテンツである。
【請求項７】
請求項１から請求項５のいずれか一項に記載のプログラムであって、
前記第１コンテンツは、動画コンテンツであり、
前記動画コンテンツは、設定された再生時間以上、または設定された割合以上、前記動画コンテンツが前記表示領域で再生されていない場合、前記制御部によって、前記表示領域に表示し続けられる。
【請求項８】
請求項１から請求項７のいずれか一項に記載のプログラムであって、
前記複数のコンテンツは、前記端末とは異なる端末によりソーシャルネットワーキングサービスに投稿されたコンテンツである。
【請求項９】
請求項１から請求項８のいずれか一項に記載のプログラムであって、
前記入力は、第１方向または前記第１方向とは反対の第２方向に前記複数のコンテンツを移動させる操作に基づく入力を含む。
【請求項１０】
請求項９に記載のプログラムであって、
前記操作は、前記複数のコンテンツを移動させるスクロール操作である。
【請求項１１】
表示する順序が設定された複数のコンテンツを表示領域に表示する端末の情報処理方法であって、
前記端末のユーザによる前記端末への入力に基づいて、前記表示領域に表示された前記複数のコンテンツを、設定された前記順序で前記表示領域内を移動させ、前記表示領域から非表示にする制御を前記端末の制御部によって行うことと、
前記複数のコンテンツのうちの第１コンテンツに設定された時間以上、または設定された割合以上、前記第１コンテンツが前記表示領域に表示されていない場合、前記第１コンテンツを前記表示領域に表示し続ける制御を前記制御部によって行うこととを含む。
【請求項１２】
表示する順序が設定された複数のコンテンツを表示領域に表示する端末であって、
前記端末のユーザによる前記端末への入力に基づいて、前記表示領域に表示された前記複数のコンテンツを、設定された前記順序で前記表示領域内を移動させ、前記表示領域から非表示にする制御と、前記複数のコンテンツのうちの第１コンテンツに設定された再生時間以上、または設定された割合以上、前記第１コンテンツが前記表示領域に表示されていない場合、前記第１コンテンツを前記表示領域に表示し続ける制御とを行う制御部を備える。
【手続補正２】
【補正対象書類名】明細書
【補正対象項目名】発明の名称
【補正方法】変更
【補正の内容】
【発明の名称】プログラム、情報処理方法、および端末
【手続補正３】
【補正対象書類名】明細書
【補正対象項目名】０００７
【補正方法】変更
【補正の内容】
【０００７】
本発明の一実施形態に係るプログラムは、表示する順序が設定された複数のコンテンツを表示領域に表示する端末によって実行されるプログラムであって、前記端末のユーザによる前記端末への入力に基づいて、前記表示領域に表示された前記複数のコンテンツを、設定された前記順序で前記表示領域内を移動させ、前記表示領域から非表示にする制御を前記端末の制御部によって行うことと、前記複数のコンテンツのうちの第１コンテンツに設定された時間以上、または設定された割合以上、前記第１コンテンツが前記表示領域に表示されていない場合、前記第１コンテンツを前記表示領域に表示し続ける制御を前記制御部によって行うこととが前記端末によって実行される。
また、本発明の一実施形態に係る情報処理方法は、表示する順序が設定された複数のコンテンツを表示領域に表示する端末の情報処理方法であって、前記端末のユーザによる前記端末への入力に基づいて、前記表示領域に表示された前記複数のコンテンツを、設定された前記順序で前記表示領域内を移動させ、前記表示領域から非表示にする制御を前記端末の制御部によって行うことと、前記複数のコンテンツのうちの第１コンテンツに設定された時間以上、または設定された割合以上、前記第１コンテンツが前記表示領域に表示されていない場合、前記第１コンテンツを前記表示領域に表示し続ける制御を前記制御部によって行うこととを含む。
また、本発明の一実施形態に係る端末は、表示する順序が設定された複数のコンテンツを表示領域に表示する端末であって、前記端末のユーザによる前記端末への入力に基づいて、前記表示領域に表示された前記複数のコンテンツを、設定された前記順序で前記表示領域内を移動させ、前記表示領域から非表示にする制御と、前記複数のコンテンツのうちの第１コンテンツに設定された再生時間以上、または設定された割合以上、前記第１コンテンツが前記表示領域に表示されていない場合、前記第１コンテンツを前記表示領域に表示し続ける制御とを行う制御部を備える。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
プロセッサを、
インターネット上の電子商取引サーバと、
前記電子商取引サーバが取扱う商品をショッピングカートに投入するショッピングカート投入ボタンを複数有する画面の表示および前記電子商取引サーバとの通信を行うタッチパネル装置と、を備え、
前記タッチパネル装置が、前記ショッピングカート投入ボタンの押下を検出した際に、前記ショッピングカートへの前記商品の投入数量の変更手段または指定手段を提供する入力領域を前記画面に表示する入力領域提供手段を備えるシステムに用いる前記入力領域提供手段として機能させるための制御プログラム。
【請求項２】
インターネット上の電子商取引サーバと、
前記電子商取引サーバが取扱う商品をショッピングカートに投入するショッピングカート投入ボタンを複数有する画面の表示および前記電子商取引サーバとの通信を行うタッチパネル装置と、
を備えるシステムに用いる前記タッチパネル装置は、前記ショッピングカート投入ボタンの押下を検出した際に、前記ショッピングカートへの前記商品の投入数量の変更手段または指定手段を提供する入力領域を前記画面に表示する過程を含むことを特徴とする方法。
【手続補正２】
【補正対象書類名】明細書
【補正対象項目名】０００６
【補正方法】変更
【補正の内容】
【０００６】
上記課題を解決するため本発明のシステムは、インターネット上の電子商取引サーバと、前記電子商取引サーバが取扱う商品をショッピングカートに投入するショッピングカート投入ボタンを複数有する画面の表示および前記電子商取引サーバとの通信を行うタッチパネル装置と、を備え、前記タッチパネル装置が、前記ショッピングカート投入ボタンの押下を検出した際に、前記ショッピングカートへの前記商品の投入数量の変更手段または指定手段を提供する入力領域を前記画面に表示する入力領域提供手段を備えることを特徴とする。
【手続補正３】
【補正対象書類名】明細書
【補正対象項目名】０００１
【補正方法】変更
【補正の内容】
【０００１】
本発明は、タッチパネル装置が、ショッピングカート投入ボタンの押下を検出した際に、ショッピングカートへの商品の投入数量の変更手段または指定手段を提供するシステム及び方法に関する。
【手続補正４】
【補正対象書類名】明細書
【補正対象項目名】０００４
【補正方法】変更
【補正の内容】
【０００４】
ところで、上記従来の電子商取引方法は、タッチパネル装置が、ショッピングカート投入ボタンの押下を検出した際に、ショッピングカートへの商品の投入数量の変更手段または指定手段を提供することができないと言った問題があった。
【手続補正５】
【補正対象書類名】明細書
【補正対象項目名】０００５
【補正方法】変更
【補正の内容】
【０００５】
そこで、本発明の目的は、タッチパネル装置が、ショッピングカート投入ボタンの押下を検出した際に、ショッピングカートへの商品の投入数量の変更手段または指定手段を提供することができるシステム及び方法を提供することにある。
【手続補正６】
【補正対象書類名】明細書
【補正対象項目名】０００７
【補正方法】変更
【補正の内容】
【０００７】
本発明によれば、システム及び方法は、タッチパネル装置が、ショッピングカート投入ボタンの押下を検出した際に、ショッピングカートへの商品の投入数量の変更手段または指定手段を提供することができる。
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
基地局装置と通信を行う端末装置であって、
前記基地局装置からＲＲＣメッセージを受信する受信部と、
処理部と、
を備え、
前記ＲＲＣメッセージは、第一のＲＡＴから第二のＲＡＴへの移動であることを示すメッセージであり、前記第一のＲＡＴはＮＲであり、前記第二のＲＡＴはＥ−ＵＴＲＡ又はＵＴＲＡであり、
前記処理部は、前記ＲＲＣメッセージに含まれる第二のＲＡＴが、Ｅ−ＵＴＲＡであるかＵＴＲＡであるかを判断し、前記第二のＲＡＴがＵＴＲＡであることに基づいて、前記ＵＴＲＡへのインターＲＡＴハンドオーバが起動されたと見なし、前記ＲＲＣメッセージに含まれる、鍵同期及び鍵フレッシュネスに使われる情報を、上位レイヤに転送し、
前記第二のＲＡＴがＥ−ＵＴＲＡであることに基づいて、前記第一のＲＡＴから第二のＲＡＴへの移動が正常完了した場合の処理において、ＲＲＣコネクションが解放されたことの上位レイヤへの通知処理を行う
端末装置。
【請求項２】
端末装置と通信する基地局装置であって、
前記端末装置へＲＲＣメッセージを送信する送信部と、
処理部と、
を備え、
前記ＲＲＣメッセージは第一のＲＡＴから第二のＲＡＴへの移動であることを示すメッセージであり、前記第一のＲＡＴはＮＲであり、
前記処理部は、前記端末装置に対し、前記ＲＲＣメッセージに、前記第二のＲＡＴがＵＴＲＡであることを示す情報が含まれることに基づいて、前記ＲＲＣメッセージに含まれる、鍵同期及び鍵フレッシュネスに使われる情報を、上位レイヤに転送する処理を行わせ、
前記第二のＲＡＴがＥ−ＵＴＲＡであることに基づいて、前記第一のＲＡＴから第二のＲＡＴへの移動が正常完了した場合の処理において、ＲＲＣコネクションが解放されたことの上位レイヤへの通知処理を行わせる、
基地局装置。
【請求項３】
基地局装置と通信を行う端末装置に用いられる通信方法であって、前記端末装置のコンピュータが、
前記基地局装置からＲＲＣメッセージを受信する受信過程と、
処理過程と、
を有し、
前記ＲＲＣメッセージは、第一のＲＡＴから第二のＲＡＴへの移動であることを示すメッセージであり、前記第一のＲＡＴはＮＲであり、前記第二のＲＡＴはＥ−ＵＴＲＡ又はＵＴＲＡであり、
前記処理過程は、前記ＲＲＣメッセージに含まれる第二のＲＡＴが、Ｅ−ＵＴＲＡであるかＵＴＲＡであるかを判断し、前記第二のＲＡＴがＵＴＲＡであることに基づいて、前記ＵＴＲＡへのインターＲＡＴハンドオーバが起動されたと見なし、前記ＲＲＣメッセージに含まれる、鍵同期及び鍵フレッシュネスに使われる情報を、上位レイヤに転送し、
前記第二のＲＡＴがＥ−ＵＴＲＡであることに基づいて、前記第一のＲＡＴから第二のＲＡＴへの移動が正常完了した場合の処理において、ＲＲＣコネクションが解放されたことの上位レイヤへの通知処理を行う
通信方法。
【請求項４】
端末装置と通信する基地局装置に用いられる通信方法であって、前記基地局装置のコンピュータが、
前記端末装置へＲＲＣメッセージを送信する送信過程と、
処理過程と、
を有し、
前記ＲＲＣメッセージは第一のＲＡＴから第二のＲＡＴへの移動であることを示すメッセージであり、前記第一のＲＡＴはＮＲであり、
前記処理過程は、前記端末装置に対し、前記ＲＲＣメッセージに、前記第二のＲＡＴがＵＴＲＡであることを示す情報が含まれることに基づいて、前記ＲＲＣメッセージに含まれる、鍵同期及び鍵フレッシュネスに使われる情報を、上位レイヤに転送する処理を行わせ、
前記第二のＲＡＴがＥ−ＵＴＲＡであることに基づいて、前記第一のＲＡＴから第二のＲＡＴへの移動が正常完了した場合の処理において、ＲＲＣコネクションが解放されたことの上位レイヤへの通知処理を行わせる、
通信方法。
【手続補正２】
【補正対象書類名】明細書
【補正対象項目名】発明の名称
【補正方法】変更
【補正の内容】
【発明の名称】端末装置、基地局装置、および、通信方法
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
原稿が載置される原稿台と、
前記原稿台に載置された原稿の画像を読み取る第１読取部と、
前記第１読取部を収容するとともに、前記原稿台を支持する筐体と、
前記筐体の上方に配置され、回動軸を中心にして開閉する原稿搬送ユニットであって、原稿の表面画像を前記第１読取部に読み取らせるために原稿を前記第１読取部に向けて搬送するための原稿搬送ユニットと、
前記原稿搬送ユニットの内部に収容され、搬送される原稿の裏面画像を読み取る第２読取部と、
前記原稿搬送ユニットに設けられ、下方に延びる筒状のダクトと、
前記筐体の上面に設けられた開口の縁部に沿って上方に延びる壁部と、
前記ダクト内を配線されるケーブルであって、前記第２読取部により読み取られた画像に応じた画像信号を制御部に伝送するためのケーブルと、を備え、
前記原稿搬送ユニットは、前記筐体に対して前記回動軸とともに上下方向に変位可能に構成されており、
前記ダクトは、前記原稿搬送ユニットの前記上下方向の変位に伴って前記開口の内側を前記上下方向に変位するように構成されており、
前記壁部の最も上方にある頂点は、前記原稿台よりも上方に位置する、
ことを特徴とする画像読取装置。
【請求項２】
前記回動軸を支持するヒンジ機構を更に備え、
前記ダクトと前記ヒンジ機構は、前記回動軸の軸線方向において並んだ位置に配置されている、
ことを特徴とする請求項１に記載の画像読取装置。
【請求項３】
前記ダクトは、前記原稿搬送ユニットに回動可能に支持されている、
ことを特徴とする請求項１又は２に記載の画像読取装置。
【請求項４】
前記原稿搬送ユニットの内部に設けられたモータに信号及び電力を伝達する信号線を更に備え、
前記信号線は前記ケーブルとともに前記ダクト内を配線される、
ことを特徴とする請求項１乃至３のいずれか１項に記載の画像読取装置。
【請求項５】
前記ケーブルはフラットケーブルである、
ことを特徴とする請求項１乃至４のいずれか１項に記載の画像読取装置。
【請求項６】
前記原稿搬送ユニットの外装カバーと前記ダクトとの間には、前記原稿搬送ユニットを開く際に前記ダクトに干渉しないように開放空間が設けられており、
前記原稿搬送ユニットが閉じた状態では、前記壁部が前記開放空間に入り込むように構成されている、
ことを特徴とする請求項１乃至５のいずれか１項に記載の画像読取装置。
【請求項７】
前記画像読取装置は、前記原稿搬送ユニットにより原稿を搬送しながら原稿の画像を読み取る流し読みモードと、前記原稿台に載置された原稿の画像を読み取る固定読みモードと、を実行可能であり、
前記第１読取部は、
前記流し読みモードのときは、前記第１読取部が第１位置にある状態で前記原稿搬送ユニットによって搬送される原稿の画像を読み取り、
前記固定読みモードのときは、前記原稿台に沿ってそれぞれ前記第１位置とは異なる第２位置と第３位置との間を移動しながら、前記原稿台に載置された原稿の画像を読み取る、
ことを特徴とする請求項１乃至６のいずれか１項に記載の画像読取装置。
【請求項８】
請求項１乃至７のいずれか１項に記載の画像読取装置と、
シートに画像を形成する画像形成ユニットと、を備える、
ことを特徴とする画像形成装置。
【手続補正２】
【補正対象書類名】明細書
【補正対象項目名】０００８
【補正方法】変更
【補正の内容】
【０００８】
本発明は、画像読取装置において、原稿が載置される原稿台と、前記原稿台に載置された原稿の画像を読み取る第１読取部と、前記第１読取部を収容するとともに、前記原稿台を支持する筐体と、前記筐体の上方に配置され、回動軸を中心にして開閉する原稿搬送ユニットであって、原稿の表面画像を前記第１読取部に読み取らせるために原稿を前記第１読取部に向けて搬送するための原稿搬送ユニットと、前記原稿搬送ユニットの内部に収容され、搬送される原稿の裏面画像を読み取る第２読取部と、前記原稿搬送ユニットに設けられ、下方に延びる筒状のダクトと、前記筐体の上面に設けられた開口の縁部に沿って上方に延びる壁部と、前記ダクト内を配線されるケーブルであって、前記第２読取部により読み取られた画像に応じた画像信号を制御部に伝送するためのケーブルと、を備え、前記原稿搬送ユニットは、前記筐体に対して前記回動軸とともに上下方向に変位可能に構成されており、前記ダクトは、前記原稿搬送ユニットの前記上下方向の変位に伴って前記開口の内側を前記上下方向に変位するように構成されており、前記壁部の最も上方にある頂点は、前記原稿台よりも上方に位置する、ことを特徴とする。
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
カルバメート基を有し、
フリーネスが１００ｃｃ以下であり、
濃度を２質量％とした場合における水分散液のＢ型粘度が、１０００ｍＰａ・ｓ以上５０００ｍＰａ・ｓ以下である
微細セルロース繊維。
【請求項２】
カルバメート基を有し、
フリーネスが１００ｃｃ以下であり、
ゼータ電位が−１００ｍＶ以上−３０ｍＶ以下である
微細セルロース繊維。
【請求項３】
カルバメート基を有し、
フリーネスが１００ｃｃ以下であり、
パルプ粘度が２ｃＰ以上１５ｃＰ以下である
微細セルロース繊維。
【請求項４】
カルバメート基を有し、
フリーネスが１００ｃｃ以下であり、
濃度を２質量％とした場合における水分散液のＢ型粘度が、１０００ｍＰａ・ｓ以上５０００ｍＰａ・ｓ以下であり、
ゼータ電位が−１００ｍＶ以上−３０ｍＶ以下であり、
パルプ粘度が２ｃＰ以上１５ｃＰ以下である
微細セルロース繊維。
【請求項５】
カルバメート基を有し、
平均繊維径が１ｎｍ以上１５μｍ以下であり、
濃度を２質量％とした場合における水分散液のＢ型粘度が、１０００ｍＰａ・ｓ以上５０００ｍＰａ・ｓ以下である
微細セルロース繊維。
【請求項６】
カルバメート基を有し、
平均繊維径が１ｎｍ以上１５μｍ以下であり、
ゼータ電位が−１００ｍＶ以上−３０ｍＶ以下である
微細セルロース繊維。
【請求項７】
カルバメート基を有し、
平均繊維径が１ｎｍ以上１５μｍ以下であり、
パルプ粘度が２ｃＰ以上１５ｃＰ以下である
微細セルロース繊維。
【請求項８】
カルバメート基を有し、
平均繊維径が１ｎｍ以上１５μｍ以下であり、
濃度を２質量％とした場合における水分散液のＢ型粘度が、１０００ｍＰａ・ｓ以上５０００ｍＰａ・ｓ以下であり、
ゼータ電位が−１００ｍＶ以上−３０ｍＶ以下であり、
パルプ粘度が２ｃＰ以上１５ｃＰ以下である
微細セルロース繊維。
【請求項９】
ヒドロキシ基に対する上記カルバメート基の置換度が０．０５以上０．５以下である請求項１から請求項８の何れか１項に記載の微細セルロース繊維。
【請求項１０】
請求項１から請求項９の何れか１項に記載の微細セルロース繊維を含むスラリー。
【請求項１１】
請求項１から請求項９の何れか１項に記載の微細セルロース繊維及び樹脂を含む複合体。
【請求項１２】
植物原料と尿素又はその誘導体との混合物を加熱処理する工程、及び
上記植物原料を微細化処理する工程
を備える微細セルロース繊維の製造方法。
【請求項１３】
上記加熱処理工程を１２０℃以上２００℃以下で行う請求項１２に記載の微細セルロース繊維の製造方法。
【請求項１４】
上記加熱処理工程を酸性下で行う請求項１２又は請求項１３に記載の微細セルロース繊維の製造方法。
【請求項１５】
上記微細セルロース繊維が樹脂の補強材として用いられる請求項１２、請求項１３又は請求項１４に記載の微細セルロース繊維の製造方法。